(57)【要約】【課題】  工具を必要としないソーチェーン張り装置の提供。【解決手段】  ソーチェーン張り装置（２）は、チェーンソー（５８）のサイドケース（５２）とで挟持されたその基端部（５６ａ）から前方（Ｆ）に延びるチェーン案内板（５６）の前後位置（Ｆ−Ｒ）を変更して、ソーチェーン（５７）の張力を調節するためのものである。ソーチェーン張り装置（２）は、チェーン案内板（５６）の基端部（５６ａ）に隣接して、前記チェーン案内板（５６）の長手方向に沿って配設されたねじ棒部材（４）と、チェーン案内板（５６）に連結され、且つ、ねじ棒部材（４）の回転によってねじ棒部材（４）に沿って移動する移動部材（６）と、ねじ棒部材（４）と一体の従動歯車（８）と、該従動歯車（８）を回転駆動するための駆動歯車（１０）と、該駆動歯車（１０）を手で回転させるための操作部（１８）と、を有する。【選択図】      図３
2006015606.tif 000002
【特許請求の範囲】
【請求項１】
チェーンソー（５８）のサイドケース（５２）と本体ケース（５４）とで挟持されたその基端部（５６ａ）から前方（Ｆ）に延びるチェーン案内板（５６）の前後位置（Ｆ−Ｒ）を変更して、ソーチェーン（５７）の張力を調節するためのソーチェーン張り装置（２）であって、
前記チェーン案内板（５６）の基端部（５６ａ）に隣接して、前記チェーン案内板（５６）の長手方向に沿って配設されたねじ棒部材（４）と、前記チェーン案内板（５６）に連結され、且つ、前記ねじ棒部材（４）の回転によって前記ねじ棒部材（４）に沿って移動する移動部材（６）と、前記ねじ棒部材（４）と一体の従動歯車（８）と、該従動歯車（８）を回転駆動するための駆動歯車（１０）と、該駆動歯車（１０）を手で回転させるための操作部（１８）と、を有する、ことを特徴とするソーチェーン張り装置。
【請求項２】
前記駆動歯車（１０）と前記従動歯車（８）との間には、中間歯車（１２、１４）が介在しており、前記駆動歯車（１０）及び前記中間歯車（１２，１４）は平歯車であり、これらの平歯車（１０，１２，１４）は、前記サイドケース（５２）に沿って配置されている、ことを特徴とする請求項１に記載のソーチェーン張り装置。
【請求項３】
前記従動歯車が傘歯車（８）であることを特徴とする、請求項１又は２に記載のソーチェーン張り装置。
【発明の詳細な説明】
【技術分野】
【０００１】
本発明は、ソーチェーンの張力を調節するためのソーチェーン張り装置に関し、より詳細には、チェーンソーのチェーン案内板の本体ケースに対する前後位置を変更して、チェーン案内板に巻き掛けられたソーチェーンの張力を調節するためのソーチェーン張り装置に関する。
【背景技術】
【０００２】
従来から、ソーチェーンの張り装置として、例えば、特開平１０−２８６８０２号公報に記載されたソーチェーン張り装置５０がある。このソーチェーン張り装置５０は、図６に示すように、スタッドボルト６７と締付けナット６８でサイドケース５２と本体ケース５４との間にその基端部５６ａが挟持されると共に、前記両ケース５２，５４から前方Ｆに突出するチェーン案内板５６の前後位置Ｆ−Ｒを調節するチェーンソー５８に設けられる。前記ソーチェーン張り装置５０は、一端に工具挿入用の溝６０が形成されたねじ棒部材６２と、該ねじ棒部材６２の回転でその軸線方向Ｏ−Ｏに沿って移動して前記チェーン案内板５６の前記本体ケース５４に対する前後位置Ｆ−Ｒを変更させるピン部材６４と、を備える。図６には示されていないが、前記ねじ棒部材６２には、従動傘歯車が前記一端とは反対側の他端に固定され、該従動傘歯車には、前記サイドケース５２に回転可能に軸支される軸部を有する駆動傘歯車が噛合している。また、該駆動傘歯車の前記軸部に形成された工具挿入用の溝６０ａは、前記サイドケース５２の外部に露出しており、作業者が工具を使って前記ねじ棒部材６２を機体の横側からも回転操作することができるようになっている。
【０００３】
【特許文献１】特開平１０−２８６８０２号公報
【発明の開示】
【発明が解決しようとする課題】
【０００４】
上記従来のソーチェーン張り装置においては、前記軸部及び前記ねじ棒部材を回すのに工具を使用しなければならないため、工具を携帯する必要があり煩わしく、また、携帯していない場合には、作業現場で調節ができないという不都合がある。
そこで、本発明は、工具を必要としないソーチェーン張り装置を提供することを目的としている。
【課題を解決するための手段】
【０００５】
本発明の上記目的は、チェーンソーのサイドケースと本体ケースとで挟持されたその基端部から前方に延びるチェーン案内板の前後位置を変更して、ソーチェーンの張力を調節するためのソーチェーン張り装置であって、前記チェーン案内板の基端部に隣接して、前記チェーン案内板の長手方向に沿って配設されたねじ棒部材と、前記チェーン案内板に連結され、且つ、前記ねじ棒部材の回転によって前記ねじ棒部材に沿って移動する移動部材と、前記ねじ棒部材と一体の従動歯車と、該従動歯車を回転駆動するための駆動歯車と、該駆動歯車を手で回転させるための操作部と、を有する、ことを特徴とするソーチェーン張り装置によって達成することができる。
【発明の効果】
【０００６】
本発明によれば、工具なしで、手で調節することができるソーチェーン張り装置を提供できる。
【発明を実施するための最良の形態】
【０００７】
以下、本発明の実施の形態を、図面を参照しつつ説明する。
図１は、本実施の形態に係るソーチェーン張り装置組立体の正面図であり、また、図２は、その背面図である。更に、図３は、図１に示すソーチェーン張り装置組立体の正面側の側板を外した状態を示す一部破断図である。更に、図４は、図１に示すIV-IVに沿った矢視断面図であり、また、図５は、図１に示すV-Vに沿った矢視断面図である。
本発明に係るソーチェーン張り装置２は、例えば、図６に示すチェーンソー５８のチェーンソー本体６６に設けられる。該チェーンソー本体６６は、チェーン案内板５６の基端部５６ａの外側に取外し自在に取付けられた前記サイドケース５２を有し、ソーチェーン張り装置２は、前記サイドケース５２の内側に、前記チェーン案内板５６の前記基端部５６ａに対面して配設される。
【０００８】
前記ソーチェーン張り装置２は、図２に示すように、前記チェーン案内板５６の長手方向に沿ってねじ棒部材４と、該ねじ棒部材４と螺合し、前記ねじ棒部材４が回転するとそれに沿って移動する移動部材としての螺合部材６と、前記ねじ棒部材４の一端に固定された従動歯車である傘歯車８と、該従動傘歯車８を回転駆動するための駆動歯車１０と、前記従動傘歯車８と前記駆動歯車１０との間に介在された中間歯車１２，１４と、前記駆動歯車１０を手で回転させるための操作部としてのチェーン張り用ノブ１８と、を有する。前記駆動歯車１０は平歯車である。また、前記中間歯車は、前記駆動歯車１０と噛合する平歯車である第１の中間歯車１２と、該第１の中間歯車１２と噛合する第２の平歯車である第２の中間歯車１４と、よりなる。該第２の中間歯車１４は、これと同軸上に設けられ、該第２の中間歯車１４と共に一体回転する駆動傘歯車１６を有し、該駆動傘歯車１６が、前記従動傘歯車８と噛合している。前記チェーン張り用ノブ１８は、前記サイドケース５２の外側に、前記駆動歯車１０と同軸上に回転可能に設けられ、作業者は前記サイドケース５２を外さずに手指でつまんで回転操作することができる。
【０００９】
前記螺合部材６は、前記チェーンソー本体６６の内方に向かって突出する、前記チェーン案内板５６と連結する連結部分６ａを有する。より詳細には、該連結部分６ａは、本実施の形態においては、前記チェーン案内板５６に形成された孔５６ｂに嵌合するピン部分６ａである。
前記ソーチェーン張り装置２は、図１及び図２に示すように、互いに対向して組み合わされた外側（チェーンソー本体６６のサイドケース５２に取付けた場合において、チェーンソー本体６６に対して外方）の第１の側板２０と、内側（チェーンソー本体６６のサイドケース５２に取付けた場合において、チェーンソー本体６６に対して内方）の第２の側板２２との間に配置され、これらによって支持されてパッケージ化されたソーチェーン張り装置組立体２４をなしている。前記第２の側板２２には、前記チェーン案内板５６の長手方向に延びる窓２２aが形成されており、その中に、前記ねじ棒部材４と、前記螺合部材６と、前記従動傘歯車８が配置されている。前記ピン部分６ａは、前記第２の側板２２から前記チェーンソー本体６６の内方に向かって突出している。
【００１０】
前記ソーチェーン張り装置組立体２４の前記チェーンソー本体６６に対する組みて状態において、前記第２の側板２２が、前記チェーン案内板５６の外側面に当接し、前記ピン部分６ａは、前記チェーン案内板５６の前記孔５６ｂの中に挿入されている。前記第１の側板２０には、前記チェーン張り用ノブ１８を露出する孔２０ａが形成されており、前記チェーン張り用ノブ１８はこの孔２０ａの中に収容されている。前記第２の側板２２側には、既に説明したように、前記サイドケース５２が取付けられる。前記駆動歯車１０、前記第１の中間歯車１２及び前記第２の中間歯車１４は、前記第１の側板２０及び前記第２の側板２２に沿って、すなわち、前記サイドケース５２に沿って配置されている。
【００１１】
尚、図示していないが、前記チェーン案内板５６には、前記ソーチェーン５７が前記チェーン案内板５６から離脱するのを防止するため、両側に側板が配置され、これら側板は、前記サイドケース５２、固定スタッドボルト６７及び締付けナット６８によって、前記チェーン案内板５６を挟持するように締付け固定されている。図１において、前記チェーン張り用ノブ１８の下方に配置された別のノブ２６は、前記締付けナット６８を手で締めたり緩めたりするためのものであり、図２に示すスタッドボルト挿通孔２２ｂから前記スタッドボルト６７の先端部が外方へ向けて突き出されるとともに、前記ナット張り用ノブ２６の回転中心に、前記ナット６８を受け入れる嵌合部２６ａが形成されている。前記ソーチェーン組立体２４を前記チェーンソー本体６６に対して組み付けた状態において、前記嵌合部２６ａの中に前記ナット６８が受け入れられており、前記ナット張り用ノブ２６を作業者が手で回転させることによって、前記ナット６８が締めつけられる。
【００１２】
前記ソーチェーン張り装置２は、以下のように作動する。
前記ソーチェーン５７を緊張状態とする場合には、図１に示す如く前記ナット締付け用ノブ２６を引き起こし、第１の方向に回転させて前記ナット６８を緩め、前記チェーン張り用ノブ１８を第１の方向に回転させると、前記第１の中間歯車１２、前記第２の中間歯車１４及び前記遊び傘歯車１６を介して、前記従動傘歯車８が回転し、前記ねじ棒部材４が回転する。それによって、前記螺合部材６が前方Ｆ（図３において右方向）に移動し、それに伴って、前記チェーン案内板５６が前記チェーンソー本体６６に対して前方Ｆに移動する。これによって、前記チェーン案内板５６に巻き掛けられた前記ソーチェーン５７が緊張状態となる。所望の張りが得られた時点で、前記ナット締付け用ノブ２６を第２の方向に回転させて前記ナット６８を十分に締め込み、前記ナット締付け用ノブ２６を折りたたんで、適宜の戻り止め手段（図示せず）を作動せしめることにより、前記チェーン案内板（５６）の前後位置（Ｆ−Ｒ）を固定せしめることができる。一方、前記チェーン張り用ノブ１８を反対方向である第２の方向に回転させると、逆に、前記チェーン案内板５６が前記チェーンソー本体６６に対して後方Ｒに移動し、前記ソーチェーン５７は弛緩状態となる。
【００１３】
上記実施の形態においては、前記駆動歯車１０及び前記中間歯車１２，１４は平歯車であり、これら平歯車は、前記サイドケース５２に沿って配置されているから、前記チェーン張り装置２の厚みを全体的に薄く、小型とすることができる。また、前記チェーン張り用ノブ１８が前記第１の側板２０の孔２０ａの中に収められており、前記ナット締付け用ノブ２６も折りたたみ自在で外方に突出しない構造となっているので、更に、小型とすることが可能となる。
また、前記駆動歯車１０と前記従動傘歯車８との間に、前記中間歯車１０，１２，１４を介在させているので、前記ナット６８に隣接して配置する必要のある前記ナット張り用ノブ２６との物理的干渉を回避することができる。
【００１４】
本発明は、以上の実施の形態に限定されることなく、特許請求の範囲に記載された発明の範囲内で種々の変更が可能であり、それらも本発明の範囲内に包含されるものであることはいうまでもない。
例えば、前記中間歯車１２，１４は、前記チェーン張り用ノブ１８と前記ナット張り用ノブ２６との間の物理的干渉を回避する上で有用であるが、干渉の問題がない場合においては、これらは必須の部品ではなく、前記駆動歯車１０によって前記従動傘歯車８を直接駆動してもよい。
また、前記チェーン張り装置組立体２４として、パッケージ化することなく、前記サイドカバー５２内に一体的に組み込んでもよいことは、いうまでもない。
更に、前記従動歯車（８）及び前記駆動歯車（１０）は、傘歯車に限定されるものではなく、ヘリカルギヤ等の組み合わせでも良い。
【産業上の利用可能性】
【００１５】
本発明のソーチェーン締め装置は、チェーンソーに設けて使用する。
【図面の簡単な説明】
【００１６】
【図１】本実施の形態に係るソーチェーン張り装置の正面図である。
【図２】ソーチェーン張り装置の背面図である。
【図３】図１に示すソーチェーン張り装置の正面側の側板を外した状態を示す一部破断図である。
【図４】図１に示すIV-IVに沿った矢視断面図である。
【図５】図１に示すV-Vに沿った矢視断面図である。
【図６】従来のチェーンソーの全体斜視図である。
【符号の説明】
【００１７】
２  ソーチェーン張り装置
４  ねじ棒部材
６  移動部材
８  従動歯車（傘歯車）
１０  駆動歯車
１２  中間歯車
１４  中間歯車
１８  操作部
５２  サイドケース
５４  本体ケース
５６  チェーン案内板
５６ａ基端部
５７  ソーチェーン
５８  チェーンソー
Ｆ    前方
Ｆ−Ｒ前後位置
【図１】
2006015606.tif 000003
【図２】
2006015606.tif 000004
【図３】
2006015606.tif 000005
【図４】
2006015606.tif 000006
【図５】
2006015606.tif 000007
【図６】
2006015606.tif 000008